(57)【要約】【課題】  所望の光量調整が可能な電気泳動光量調整素子及び撮像装置を提供する。【解決手段】  透明な第１基板１と、第１基板１に対向して配置される透明な第２基板２との間に光が透過する柱状の透光部９を、両端が第１基板１及び第２基板２に接するように設けると共に、第１基板１及び第２基板２の少なくとも一方に３つ以上の電極３〜８を並設することにより、不透明帯電泳動粒子１５の移動可能な領域を制限すると共に、不透明帯電泳動粒子１５の制御性を向上させる。【選択図】      図１
2006201603.tif 000002
【特許請求の範囲】
【請求項１】
透明な第１基板と、前記第１基板に対向して配置される透明な第２基板と、前記第１基板及び前記第２基板の間に充填される絶縁性透明液体と、前記絶縁性透明液体中に分散される複数の不透明帯電泳動粒子とを備えた電気泳動光量調整素子において、
前記第１基板及び前記第２基板に両端が接するように設けられると共に、光が透過する柱状の透光部と、
前記第１基板及び前記第２基板の少なくとも一方に並設された３つ以上の電極と、
を備えることを特徴とする電気泳動光量調整素子。
【請求項２】
前記電極が同心状に配置され、前記同心状に配置された電極の中心に前記透光部を配置したことを特徴とする請求項１記載の電気泳動光量調整素子
【請求項３】
前記透光部が略円柱状の形状を有し、前記電極が該透光部の接線方向に対して略垂直に配置されていることを特徴とする請求項１記載の電気泳動光量調整素子。
【請求項４】
前記電極間の間隔が前記第１基板及び第２基板の間隔の半分以上、４倍以下であることを特徴とする請求項１乃至３のいずれか１項に記載の電気泳動光量調整素子。
【請求項５】
前記第１基板及び第２基板の少なくとも一方の基板の前記透光部から所定距離離れた位置に遮光部を設け、前記不透明帯電泳動粒子を前記遮光部に臨む位置に移動させて透光状態とすることを特徴とする請求項１乃至４のいずれか１項に記載の電気泳動光量調整素子。
【請求項６】
前記透光部が設けられている領域には前記電極を配置しないことを特徴とする請求項１乃至５のいずれか１項に記載の電気泳動光量調整素子。
【請求項７】
レンズと、請求項１乃至６のいずれか１項に記載の電気泳動光量調整素子とを備えたことを特徴とする撮像装置。
【発明の詳細な説明】
【技術分野】
【０００１】
本発明は、光量を調整する電気泳動光量調整素子及び撮像装置に関し、特に電気泳動を利用して帯電泳動粒子を有効領域の外に移動することにより、光量調整を行うようにしたものに関する。
【背景技術】
【０００２】
従来、例えばデジタルカメラ等の撮像装置には、絞りとして電気泳動光量調整素子が設けられており、この電気泳動光量調整素子により撮像部に入射される光量を調整するようにしている。ここで、このような電気泳動光量調整素子としては、透明な第１基板と、第１基板に対向して配置される透明な第２基板と、第１基板及び第２基板の間に充填される絶縁性透明液体と、絶縁性透明液体中に分散される複数の不透明帯電泳動粒子とを備えている。
【０００３】
そして、この電気泳動光量調整素子は、電気泳動を利用して帯電泳動粒子を有効領域の外に移動して透過状態を、帯電泳動粒子を有効領域に分散させて減光状態を成すようにしている（例えば、特許文献１参照。）。
【０００４】
【特許文献１】特開２００２−２１４６６６号公報
【発明の開示】
【発明が解決しようとする課題】
【０００５】
ところで、このような従来の電気泳動光量調整素子において、不透明帯電泳動粒子の移動可能な領域が広い場合には、不透明帯電泳動粒子の制御を良好に行うことができないことから分布がまばらになる。
【０００６】
そして、このように不透明帯電泳動粒子の分布がまばらになると、入射された光が不透明帯電泳動粒子の隙間から透過して散乱するようになり、この結果、所望の光量調整を行うことができないという問題がある。
【０００７】
そこで、本発明は、このような現状に鑑みて為されたものであり、所望の光量調整が可能な電気泳動光量調整素子及び撮像装置を提供することを目的とするものである。
【課題を解決するための手段】
【０００８】
本発明は、透明な第１基板と、前記第１基板に対向して配置される透明な第２基板と、前記第１基板及び前記第２基板の間に充填される絶縁性透明液体と、前記絶縁性透明液体中に分散される複数の不透明帯電泳動粒子とを備えた電気泳動光量調整素子において、前記第１基板及び前記第２基板に両端が接するように設けられると共に、光が透過する柱状の透光部と、前記第１基板及び前記第２基板の少なくとも一方に並設された３つ以上の電極と、を備えることを特徴とするものである。
【発明の効果】
【０００９】
本発明のように、第１基板に対向して配置される透明な第２基板との間に光が透過する柱状の透光部を、両端が第１基板及び第２基板に接するように設けると共に、第１基板及び第２基板の少なくとも一方に３つ以上の電極を並設することにより、不透明帯電泳動粒子の移動可能な領域を制限すると共に、不透明帯電泳動粒子の制御性を向上させることにより、所望の光量調整が可能となる。
【発明を実施するための最良の形態】
【００１０】
以下、本発明を実施するための最良の形態について図面を参照して説明する。
【００１１】
図１は、本発明の第１の実施の形態に係る電気泳動光量調整素子の概略構成を示す図であり、この電気泳動光量調整素子は、透明な第１基板１と、第１基板１と所定の間隙を設けて対向配置された第２基板２と、第１及び第２基板１，２の対向両側に、それぞれ配置された第１電極３、第２電極４、第３電極５、第４電極６、第５電極７、第６電極８を備えている。なお、本実施の形態においては、第１〜第６電極３〜８を覆うように絶縁層１１が配置されている。
【００１２】
また、第１及び第２基板１，２の間には基板間の間隙を保つ間隙支持体１３と、常に光を透過させる柱状の透光部（以下、常透光部という）９が配置されると共に、第１及び第２基板１，２と、間隙支持体１３と、常透光部９とによって形成される空間には透明な絶縁性液体１４が充填され、その絶縁性液体１４中に不透明帯電泳動粒子１５が分散されている。
【００１３】
なお、本実施の形態において、常透光部９は、略円柱状の形状を有すると共に、図２に示すように電気泳動光量調整素子の中央に配置され、第１〜第６電極３〜８は常透光部９の周辺に同心円状に配置されている。また、間隙支持体１３は電気泳動光量調整素子周辺部に配置されている。
【００１４】
ここで、本実施の形態において、常透光部９の直径は１ｍｍであり、透過光の波長（数１００ｎｍ）に比べて非常に大きく、このような直径を有する常透光部９を通過する際、透過光の散乱は発生しない。
【００１５】
また、このような常透光部９を設けることにより、透過する光量を最小にするため、不透明帯電泳動粒子１５を第１基板１に沿って分散させた場合、不透明帯電泳動粒子１５の移動範囲が常透光部９により制限されるため、図３に示すように、不透明帯電泳動粒子同士が密集するようになる。この結果、光が不透明帯電泳動粒子１５の隙間から漏れ出ることはなくなり、良好な画像を得ることができる。
【００１６】
ここで、この常透光部９は所望の波長の光に対して実質的に透明であれば良く、その材料は特に限定しない。例えば材質はガラスの無機物、フォトレジストなどの有機物で構成された物で良く、形状は不透明帯電泳動粒子１５の移動を禁止する形状であればよく、特に限定しない。また、形状は、図１に示すように第１基板１と第２基板２に両端を接する柱状であれば、円柱状、多角柱状としても良い。
【００１７】
一方、電極は、図１及び後述する図９に示すように第１基板１と第２基板２の両方に配置されても、また後述する図７に示すように第１基板１と第２基板２の一方の対向面側に配置されても良い。また、図１に示すように第１基板１と第２基板２の対向する領域に同一の電極が配置されていても良く、図９に示すように、第１、第３及び第５電極３，５，７の間の間隙に臨むように第２、第４及び第６電極４，６，８を配置しても良い。
【００１８】
さらに、図１及び図２では６個の電極を配置した電気泳動光量調整素子の例を示したが、電極数に特に制限は無く、少なくとも３個以上を有し、駆動電圧により不透明帯電泳動粒子１５を搬送可能であれば良い。
【００１９】
なお、本実施の形態においては、第１〜第６電極３〜８は並行に配置されると共に等間隔で電気的に接続されており、例えば３電極周期で等間隔に位相がシフトした電圧を印加する場合、第１電極３と第４電極６、第２電極４と第５電極７、第３電極５と第６電極８を電気的に接続するようにしている。電極間隔本数は３電極間隔以上であれば良い。さらに望ましくは４本間隔で電気的に接続する。そして、複数の電極に同一の電位を印加する構成とすることで駆動信号が単純化される。
【００２０】
一方、並行配置される複数の電極間の間隔は特に限定するものではなく、電極は接触しない程度に間隔を空けて配置すればよい。ただし、電極間の間隔が第１基板１と第２基板２の間隔の半分以上４倍以下である場合には、絶縁性液体１４と不透明帯電泳動粒子１５が注入された領域の電界強度の最大値と最小値の比が小さくなり不透明帯電泳動粒子１５の応答が安定になる傾向がある。
【００２１】
なお、これら電極は、常透光部９が設けられている領域に設けられた場合には、常透光部９の透過率を低下させることから、常透光部９が設けられている領域に設けないことが好ましい。
【００２２】
ところで、このような構成の電極に図４に示す駆動波形を、例えばＣｈ１に示す駆動波形を第１電極３に、Ｃｈ２に示す駆動波形を第２電極４に、Ｃｈ３に示す駆動波形を第３電極５に、Ｃｈ４に示す駆動波形を第４電極６に、Ｃｈ５に示す駆動波形を第５電極７に、Ｃｈ６に示す駆動波形を第６電極８にそれぞれ印加した。この結果、素子全体に分散していた不透明帯電泳動粒子１５は素子周辺に搬送され、透光状態となった。
【００２３】
また、第１電極３と第３電極５と第５電極７、第２電極４と第４電極６と第６電極７をそれぞれ同電位として、一方に２０Ｖ、他方に−２０Ｖを交互に印加したところ、不透明帯電泳動粒子１５は均一に分散し、素子は遮光状態となった。さらに、駆動電圧を緩やかに小さくして全ての電極を０Ｖにしたところより均一に分散した。
【００２４】
このように、常透光部９を、両端が第１基板１及び第２基板２に接するように設けると共に、第１基板１及び第２基板２の少なくとも一方に３つ以上の電極を並設することにより、本実施の形態においては、第１基板１及び第２基板２にそれぞれ６つの電極を並設することにより、不透明帯電泳動粒子１５の移動可能な領域を制限することができると共に、不透明帯電泳動粒子１５の制御性を向上させることができる。これにより、所望の光量調整が可能となり、この結果、入射された光が散乱されず、良好な像が得られるようになる。
【００２５】
なお、第１基板１及び第２基板２は所望の波長の光に対して実質的に透明であればよく、その材質・形状は特に限定しない。例えば材質はガラスの無機物、ＰＥＴなどの有機物で構成された物でよく、形状は平面でよい。
【００２６】
間隙支持体１３は基板間隔を一定に保てるものであれば良く、その形状は特に限定しない。また、第１基板１と第２基板２を複数の点で支持しても良く、図１及び図２に示すように電気泳動光量調整素子の外周部に配置され、絶縁性液体１４の漏洩を防ぐ封止機能を有していても良い。
【００２７】
絶縁性液体１４は所望の波長の光に対して実質的に透明な液体であれば良く、例えばシリコンオイル、イソパラフィンを用いても良い。また、不透明帯電泳動粒子１５の帯電及び分散を維持するための添加剤が溶解されていても良い。
【００２８】
不透明帯電泳動粒子１５は所望の波長の光に対して実質的に不透明な粒子で、絶縁性液体１４中で帯電し、分散を維持するものであれば良い。また、形状も特に限定するものではなく、第１基板１と第２基板２間に充填される大きさであれば良い。
【００２９】
ところで、図５は電気泳動光量調整素子を用いた撮像装置の構成を示すものであり、この撮像装置は、電気泳動光量調整素子２１、レンズ１６及び駆動信号発生装置１９を備えたレンズ装置２２と、撮像素子１７及び画像処理装置１８とを備えた撮像部２３と、通信信号発生装置２０を備えた通信装置２４とから構成されている。
【００３０】
そして、このような構成の撮像装置において、電気泳動光量調整素子２１及びレンズ１６を透過した光は撮像素子１７に到達し、この撮像素子１７においてＡ／Ｄ変換された後、画像処理装置１８により画像処理されて撮像情報となる。そして、この撮像情報は通信装置２４の通信信号発生装置２０に入力され、不図示の遠隔部に送信される。なお、このように撮像部２３と通信装置２４とを一体にすることで即時に適切な条件により撮像情報を入手可能となる。
【００３１】
ここで、電気泳動光量調整素子２１をレンズ１６の光軸上に設置した場合、適切な光学設計が必要となる。そこで、この撮像装置においては、撮像素子１７および画像処理装置１８を光量測定手段とし、この光量測定手段によって測定された光量に応じて、駆動信号発生装置１９を駆動し、電気泳動光量調整素子２１を制御するようにしている。
【００３２】
即ち、本実施の形態においては、不透明帯電泳動粒子１５を電気泳動光量調整素子２１の一部に集め、もしくは、電気泳動光量調整素子２１の常透光部９を除く領域に分散させ、透過する光量を調節するようにしている。なお、不透明帯電泳動粒子１５を集める領域は素子の周辺部でもよいし、一部の電極上でも良い。
【００３３】
なお、本実施の形態においては、既述した図２に示すように素子中央に配置された常透光部９の周囲に半径の異なる円形の電極が同心に配置されているが、その他、図６に示すように略円柱状の常透光部９の接線方向と略垂直に電極を配置するようにしても良い。
【００３４】
そして、このように電極を配置した場合、不透明帯電泳動粒子１５は電極３〜６と実質的に直交方向に泳動するため、不透明帯電泳動粒子１５は素子の遠心方向だけでなく円周方向へも移動し、粒子分布の偏りを防ぐことができる。図６の構成では第１電極３、第２電極４、第３電極５、第４電極６からなる電極群が素子開口部の円周方向に繰り返し周期的に配置される。なお、この第１〜第４電極３〜６の常透光部９の接線方向とのなす角度は、７０°〜１１０°が好ましく、さらに８０°〜１００°がより好ましい。
【００３５】
次に、本発明の第２の実施の形態について説明する。
【００３６】
図７は、本実施の形態に係る電気泳動光量調整素子の概略構成を示す図である。なお、図７において、図１と同一符号は、同一又は相当部分を示している。
【００３７】
本実施の形態では、図７に示すように、常透光部９と異なる領域の一部に遮光部１０を設けている。そして、不透明帯電泳動粒子１５をこの遮光部１０に臨む位置に移動させて電気泳動光量調整素子２１を透光状態とし、遮光部１０以外の領域に不透明帯電泳動粒子１５を移動させ電気泳動光量調整素子２１を遮光状態にすることができる。
【００３８】
つまり、透光状態とする場合には、図８の（ａ）に示すように不透明帯電泳動粒子１５を遮光部１０に集め、遮光状態とする場合には、図８の（ｂ）に示すように不透明帯電泳動粒子１５を遮光部１０以外の常透光部９を除く部分に分散させて透過光量を調節するようにしている。
【００３９】
そして、このように構成することにより、透光状態と遮光状態の透過光量の差がより安定する。また、遮光部１０と常透光部９と一定の間隔を空けて配置することにより、不透明帯電泳動粒子１５の移動距離を一定にすることができ、この結果、電気泳動光量調整素子２１の応答速度を安定にすることができる。
【００４０】
なお、図９は、本実施の形態に係る電気泳動光量調整素子の他の構成を示す図であり、この電気泳動光量調整素子においては、第１〜第６電極３〜８が第１基板１と第２基板２の両方に、かつ交互に配置されている。即ち、第１基板１には第１電極３、第３電極５及び第５電極７が、また第２基板２には第２電極４、第４電極６及び第６電極８が、それぞれ配置されている。さらに、第１基板１に遮光部１０が設けられている。なお、この遮光部１０は、第１基板１及び第２基板２の両方に設けても良い。
【００４１】
以下、実施例に従って本発明を説明する。
【００４２】
（実施例１）
本実施例では、図１に示す断面構成を有すると共に、図２に示すように配置された第１〜第６電極３〜８を備えた電気泳動光量調整素子を以下のように作製し、駆動を行った。なお、作製した素子の大きさは直径５ｍｍ、厚さ０．４３ｍｍ、常透光部の直径は１ｍｍである。
【００４３】
まず、第１基板１および第２基板２として厚さ０．２ｍｍのガラスにＩＴＯを成膜し、フォトリソグラフィー及びエッチングにより図２に示す形状にパターニングして第１〜第６電極３〜８を形成し、この後、絶縁層１１としてエポキシ樹脂を塗布した。
【００４４】
次に、第１基板１に間隙支持体１３と常透光部９を形成した。なお、本実施例では、間隙支持体１３と常透光部９は同じ材質で同様のプロセスにより同時に作製した。即ち、第１基板１に、光感光性エポキシ樹脂を塗布した後、露光及びウェット現像を行うことによって３０μｍの高さの間隙支持体１３と常透光部９を形成した。
【００４５】
次に、このような第１基板１、間隙支持体１３及び常透光部９により形成された空間内に絶縁性液体１４及び不透明帯電泳動粒子１５を充填した。なお、本実施例では、絶縁性液体１４としてイソパラフィンを使用し、不透明帯電泳動粒子１５としてポリスチレンとカーボンの混合物で、平均粒径４μｍ位のものを使用した。このとき、イソパラフィン中での不透明帯電泳動粒子１５は正帯電極性を示した。
【００４６】
次に、第２基板２を位置合わせを行ないながら第１基板１上に置き、素子周辺部を接着剤により張り合わせた。
【００４７】
そして、このように作成された電気泳動光量調整素子２１に、図５に示す駆動信号発生装置１９を接続し、この駆動信号発生装置１９により図４に示す駆動波形を素子に繰り返し印加し、駆動させた。
【００４８】
即ち、図４において、Ｃｈ１に示す駆動波形を第１電極３に、Ｃｈ２に示す駆動波形を第２電極４に、Ｃｈ３に示す駆動波形を第３電極５に、Ｃｈ４に示す駆動波形を第４電極６に、Ｃｈ５に示す駆動波形を第５電極７に、Ｃｈ６に示す駆動波形を第６電極８に印加した。この結果、素子全体に分散していた不透明帯電泳動粒子１５は素子周辺に搬送され透光状態となった。
【００４９】
また、第１電極３と第３電極５と第５電極７、第２電極４と第４電極６と第６電極７をそれぞれ同電位として、一方に２０Ｖ、他方に−２０Ｖを交互に印加したところ、不透明帯電泳動粒子１５は均一に分散し、素子は遮光状態となった。さらに、駆動電圧を緩やかに小さくして全ての電極を０Ｖにしたところ、より均一に分散した。
【００５０】
さらに、本実施例に係る電気泳動光量調整素子に接続されている駆動信号発生装置１９に不図示の光量測定装置（例えば、図５に示す撮像装置１７と画像処理装置１８）を接続し、その光量測定装置の出力に応じて駆動電圧を選択して印加したところ、電気泳動光量調整素子２１を透過する光量に応じて光量を調整できた。
【００５１】
そして、この電気泳動光量調整素子２１を撮像装置に取り付けて駆動させたところ、明所から暗所まで良好な画像を得ることができた。さらに、撮像部２３に通信装置２４を取り付けたところ、遠隔地から良好な画像を得ることができた。
【００５２】
（実施例２）
本実施例では、図７に示す断面構成を有すると共に、略円柱状の常透光部９の接線方向と略垂直に電極を配置した（図６参照）電気泳動光量調整素子を以下のように作製し、駆動を行った。なお、作製した素子の大きさは直径５ｍｍ、厚さ０．４３ｍｍ、遮光部１０の内側の直径は３ｍｍ、常透光部９の直径は１ｍｍである。
【００５３】
まず、第１基板１として厚さ０．２ｍｍのガラスにＩＴＯを成膜し、フォトリソグラフィー及びエッチングにより図に示す形状にパターニングして第１〜第６電極３〜８を形成し、この後、絶縁層１１としてエポキシ樹脂を塗布した。
【００５４】
次に、この第１基板１に間隙支持体１３と常透光部９を形成した。なお、本実施例では、間隙支持体１３と常透光部９は同じ材質で同様のプロセスにより同時に作製した。即ち、第１基板１に、光感光性エポキシ樹脂を塗布した後、露光及びウェット現像を行うことによって３０μｍの高さの間隙支持体１３と常透光部９を形成した。
【００５５】
次に、このような第１基板１、間隙支持体１３及び常透光部９により形成された空間内に絶縁性液体１４及び不透明帯電泳動粒子１５を充填した。なお、本実施例では、絶縁性液体１４としてイソパラフィンを使用し、不透明帯電泳動粒子１５としてポリスチレンとカーボンの混合物で、平均粒径４μｍ位のものを使用した。このとき、イソパラフィン中での不透明帯電泳動粒子１５は正帯電極性を示した。
【００５６】
次に、第２基板２として厚さ０．２ｍｍで遮光部１０を着色したガラス基板を第１基板１上に置き、素子周辺部を接着剤により張り合わせた。
【００５７】
そして、このように作成された電気泳動光量調整素子２１に、図５に示す駆動信号発生装置１９を接続し、この駆動信号発生装置１９により図４に示す駆動波形を素子に繰り返し印加し、駆動させた。
【００５８】
即ち、図４において、Ｃｈ１に示す駆動波形を第１電極３に、Ｃｈ２に示す駆動波形を第２電極４に、Ｃｈ３に示す駆動波形を第３電極５に、Ｃｈ４に示す駆動波形を第４電極６に、Ｃｈ５に示す駆動波形を第５電極７に、Ｃｈ６に示す駆動波形を第６電極に８印加した。この結果、素子全体に分散していた不透明帯電泳動粒子１５は素子周辺の遮光部１０に搬送され透光状態となった。
【００５９】
次に、図１０に示す駆動波形を素子に繰り返し印加し、駆動させた。即ち、図１０において、Ｃｈ１に示す駆動波形を第１電極３に、Ｃｈ２に示す駆動波形を第２電極４に、Ｃｈ３に示す駆動波形を第３電極５に、Ｃｈ４に示す駆動波形を第４電極６に、Ｃｈ５に示す駆動波形を第５電極７に、Ｃｈ６に示す駆動波形を第６電極８に印加した。この結果、遮光部に分布していた不透明帯電泳動粒子１５は常透光部９周辺の、常透光部９と遮光部１０を除く領域に搬送され遮光状態となった。
【００６０】
さらに、本実施例に係る電気泳動光量調整素子に接続されている駆動信号発生装置１９に不図示の光量測定装置（例えば、図５に示す撮像装置１７と画像処理装置１８）を接続し、その光量測定装置の出力に応じて駆動電圧を選択して印加したところ、電気泳動光量調整素子２１を透過する光量に応じて光量を調整できた。また、透過光量の最大値と最小値の比は９倍であった。
【００６１】
また、この電気泳動光量調整素子２１を撮像装置２３に取り付けて駆動させたところ、明所から暗所まで良好な画像を得ることができた。さらに、撮像部２３に通信装置２４を取り付けたところ、遠隔地から良好な画像を得ることができた。
【図面の簡単な説明】
【００６２】
【図１】本発明の第１の実施の形態に係る電気泳動光量調整素子の概略構成を示す図。
【図２】上記電気泳動光量調整素子の電極配置の一例を示す図。
【図３】上記電気泳動光量調整素子における不透明帯電泳動粒子を第１基板に沿って分散させたときの状態を示す図。
【図４】上記電気泳動光量調整素子に印加する電圧波形を示す図。
【図５】上記電気泳動光量調整素子を備えた撮像装置の概略構成を示す図。
【図６】上記電気泳動光量調整素子の電極配置の他の例を示す図。
【図７】本発明の第２の実施の形態に係る電気泳動光量調整素子の概略構成を示す図。
【図８】上記電気泳動光量調整素子の光量調整動作を説明する図。
【図９】上記電気泳動光量調整素子の他の構成を示す図。
【図１０】上記電気泳動光量調整素子に印加する電圧波形を示す図。
【符号の説明】
【００６３】
１      第１基板
２      第２基板
３      第１電極
４      第２電極
５      第３電極
６      第４電極
７      第５電極
８      第６電極
９      常透光部
１０    遮光部
１１    絶縁層
１２    不透明層
１３    間隙支持体
１４    絶縁性液体
１５    不透明帯電泳動粒子
１６    レンズ
１７    撮像素子
１８    画像処理装置
１９    駆動信号発生装置
２０    通信信号発生装置
２１    電気泳動光量調整素子
２２    レンズ装置
２３    撮像部
２４    通信装置
【図１】
2006201603.tif 000003
【図２】
2006201603.tif 000004
【図３】
2006201603.tif 000005
【図４】
2006201603.tif 000006
【図５】
2006201603.tif 000007
【図６】
2006201603.tif 000008
【図７】
2006201603.tif 000009
【図８】
2006201603.tif 000010
【図９】
2006201603.tif 000011
【図１０】
2006201603.tif 000012